(57)【要約】【課題】デジタル放送の番組録画予約を外出先から簡易的に行う。【解決手段】本発明の番組録画装置３は、放送チャンネルを識別可能なサービスＩＤ８６と放送番組を識別可能なイベントＩＤ８９とを含む番組配列情報９３が挿入されたＴＳ（ＭＰＥＧ−２ ＴＳ）８０を受信するチューナ部２８と、受信されたＴＳ８０中の番組配列情報９３に含まれるＥＩＴ（Event Information Table）８４を記憶するＥＩＴ記憶部３２と、外部端末５より送信されたサービスＩＤ及びイベントＩＤを含む録画要求をインターネット７を介して取得する録画要求取得部１５と、この取得された録画要求に含まれるサービスＩＤ及びイベントＩＤとＥＩＴ記憶部３２に記憶されたＥＩＴ８４とに基づいて、録画予約の設定を行う録画予約設定部１６とを備える。【選択図】図２
2007235338.tif 000002
【特許請求の範囲】
【請求項１】
放送チャンネルを識別可能な第１の識別情報と放送番組を識別可能な第２の識別情報とを含む番組配列情報が挿入されたコンテンツを受信するコンテンツ受信部と、
前記コンテンツ受信部により受信された前記コンテンツ中の前記番組配列情報を記憶する記憶部と、
外部端末より送信された前記第１及び第２の識別情報を含む録画要求をネットワークを介して取得する録画要求取得部と、
前記録画要求取得部により取得された前記録画要求に含まれる前記第１及び第２の識別情報と前記記憶部に記憶された前記番組配列情報とに基づいて、録画予約の設定を行う録画予約設定部と、
を具備することを特徴とする番組録画装置。
【請求項２】
前記コンテンツ受信部により受信される前記コンテンツ中の前記番組配列情報の改定を検出する改定検出部と、
前記改定検出部により改定の検出された番組配列情報の内容で、前記記憶部に記憶されている番組配列情報の内容を更新する改定内容更新部と、をさらに備え、
前記録画予約設定部は、
前記改定内容更新部による前記番組配列情報の更新が検出された場合に、前記録画要求に含まれる前記第１及び第２の識別情報に各々対応した放送チャンネルの該当する放送番組の放送時間の変更の有無を検出する時間変更検出部と、
前記時間変更検出部により放送時間の変更が検出された場合に、放送時間の変更が検出された該当する放送番組の録画予約時間を修正する録画予約時間修正部と、
を具備することを特徴とする請求項１記載の番組録画装置。
【請求項３】
前記第１及び第２の識別情報は、それぞれ、ＡＲＩＢ標準規格に準拠する番組配列情報に含まれるサービスＩＤ及びイベントＩＤであることを特徴とする請求項１又は２記載の番組録画装置。
【請求項４】
放送チャンネルを識別可能な第１の識別情報と放送番組を識別可能な第２の識別情報とを含む番組配列情報が挿入されたコンテンツを受信するステップと、
前記受信されたコンテンツ中の前記番組配列情報を記憶装置に記憶させるステップと、
外部端末より送信された前記第１及び第２の識別情報を含む録画要求をネットワークを介して取得するステップと、
前記取得された録画要求に含まれる前記第１及び第２の識別情報と前記記憶装置に記憶された前記番組配列情報とに基づいて、録画予約の設定を行うステップと、
を有することを特徴とする番組録画方法。
【請求項５】
前記受信されるコンテンツ中の前記番組配列情報の改定を検出するステップと、
前記改定の検出された番組配列情報の内容で、前記記憶装置に記憶されている番組配列情報の内容を更新するステップと、をさらに有し、
前記録画予約の設定を行うステップは、
前記番組配列情報の更新が検出された場合に、前記録画要求に含まれる前記第１及び第２の識別情報に各々対応した放送チャンネルの該当する放送番組の放送時間の変更の有無を検出するステップと、
前記放送時間の変更が検出された場合に、放送時間の変更が検出された該当する放送番組の録画予約時間を修正するステップと、
を有することを特徴とする請求項４記載の番組録画方法。
【発明の詳細な説明】
【技術分野】
【０００１】
本発明は、テレビジョン放送の番組を録画するための番組録画装置及び番組録画方法に関する。
【背景技術】
【０００２】
近年の地上波放送や衛星放送などのテレビジョン放送の普及やデジタル信号処理技術の発達に伴い、ハードディスクや光ディスクなどの記憶媒体にテレビジョン放送の番組をデジタル信号として記録する番組録画装置が急速に普及してきている。この番組録画装置は、一般にタイマ装置などを内蔵しており、予め日時を指定することで自動的に番組を録画する録画予約機能を備えている。
【０００３】
この録画予約のためには、所望の放送番組が放送される日時をユーザ自らがタイマ装置などに設定する必要がある。こうしたユーザの負担を軽減するための方法として、電子番組ガイド（ＥＰＧ）がある。番組録画装置は、放送波若しくはインターネットより上記のＥＰＧデータを取得して内部に保存し、このＥＰＧデータから各放送局ごとの番組情報を取り出して番組表を作成して表示させることができる。表示された番組表の中からユーザによって所望の放送番組が選択されるとともに録画予約が指示されると、番組録画装置は、その指示された放送番組の放送局、日時などのデータを、保存しているＥＰＧデータから検索し録画予約を設定する。
【０００４】
ここで、携帯情報端末によるインターネット上のサービスステーションへのアクセスやメール配信サービスなどを利用して、ＥＰＧデータに基づく番組情報を閲覧しつつ携帯情報端末から録画装置に対しリモコン操作などにより録画予約を行う録画予約システムが提案されている（例えば、特許文献１参照）。
【特許文献１】特開２００１−３０９２８８号公報
【発明の開示】
【発明が解決しようとする課題】
【０００５】
ところで、上述した従来の録画予約システムは、主に、チャンネル番号や放送開始時刻といった実データ的な予約情報を携帯情報端末を介して録画装置側に送信するものであるため、例えば録画予約対象の番組の放送時間が変更になった場合などにはその対応が比較的困難であるといえる。そこで、このような実情を踏まえた上での新たな録画予約の方式を開発することへの要請がある。
【０００６】
本発明は、上記課題を解決するためになされたもので、例えば外出先などからの放送番組の録画予約の設定を容易に実現することのできる番組録画装置及び番組録画方法の提供を目的とする。
【課題を解決するための手段】
【０００７】
上記目的を達成するために、本発明に係る番組録画装置は、放送チャンネルを識別可能な第１の識別情報と放送番組を識別可能な第２の識別情報とを含む番組配列情報が挿入されたコンテンツを受信するコンテンツ受信部と、前記コンテンツ受信部により受信された前記コンテンツ中の前記番組配列情報を記憶する記憶部と、外部端末より送信された前記第１及び第２の識別情報を含む録画要求をネットワークを介して取得する録画要求取得部と、前記録画要求取得部により取得された前記録画要求に含まれる前記第１及び第２の識別情報と前記記憶部に記憶された前記番組配列情報とに基づいて、録画予約の設定を行う録画予約設定部と、を具備することを特徴とする。
【０００８】
すなわち、本発明では、例えば外出先などからユーザが外部端末を操作し、インターネットなどのネットワークを介して番組録画装置側に対し第１及び第２の識別情報を通知する録画要求を行うことで、番組録画装置側では、第１及び第２の識別情報にそれぞれ対応した放送チャンネルの該当する放送番組の録画予約を設定することが可能となる。
【０００９】
また、本発明に係る番組録画装置は、前記コンテンツ受信部により受信される前記コンテンツ中の前記番組配列情報の改定を検出する改定検出部と、前記改定検出部により改定の検出された番組配列情報の内容で、前記記憶部に記憶されている番組配列情報の内容を更新する改定内容更新部と、をさらに備え、前記録画予約設定部が、前記改定内容更新部による前記番組配列情報の更新が検出された場合に、前記録画要求に含まれる前記第１及び第２の識別情報に各々対応した放送チャンネルの該当する放送番組の放送時間の変更の有無を検出する時間変更検出部と、前記時間変更検出部により放送時間の変更が検出された場合に、放送時間の変更が検出された該当する放送番組の録画予約時間を修正する録画予約時間修正部と、を備えることを特徴とする。
【発明の効果】
【００１０】
このように、本発明によれば、例えば外出先などからの放送番組の録画予約の設定を簡易的に実現することの可能な番組録画装置及び番組録画方法を提供することができる。
【発明を実施するための最良の形態】
【００１１】
以下、本発明を実施するための最良の形態を図面に基づき説明する。
図１は、本発明の実施形態に係る番組録画装置を含む録画予約システムの構成を模式的に示す図、図２は、この録画予約システムを構成する番組録画装置を機能的に示すブロック図である。また、図３は、この録画予約システムを構成する外部端末を機能的に示すブロック図である。
【００１２】
図１に示すように、この実施形態の録画予約システム１は、例えば一般ユーザの家庭内に設置されるテレビジョン装置６に接続された番組録画装置３と、ユーザが例えば外出先で操作する外部端末５とを備える。これら番組録画装置３と外部端末５とは、ルータ９、１０及びインターネット７を介して互いに接続されている。また、外部端末５側から番組録画装置３側へは、インターネット７上のメールサーバ８を通じて、録画予約のための後述する識別情報（ＩＤ）を埋め込んだＥメール（電子メール）を送信することが可能になっている。また、番組録画装置３と外部端末５とは、放送局２からの例えば地上デジタル放送などの放送波をそれぞれ受信するアンテナ１１、１２に同軸ケーブルなどを通じて接続されている。
【００１３】
ここで、図１に示した放送局２から送信される放送波について説明する。図４は、放送局２の放送波であるトランスポートストリームの構成を模式的に示す図である。
同図４に示すように、このトランスポートストリーム（ＴＳ：Transport Stream）８０は、いわゆるＭＰＥＧ−２ Ｓｙｓｔｅｍｓ(ISO/IEC13818-2)で規定されている形式のコンテンツであり、複数のトランスポートパケットが集まった構造を有するＭＰＥＧ−２ ＴＳである。すなわち、このＴＳ８０は、ＰＳＩ（Program Specific Information）情報を含むヘッダを備えるＰＳＩパケット８１と、映像を運ぶ映像パケット８２と、音声を運ぶ音声パケット８３と、トランスポートパケット本体に周期的（定期的）に挿入されるＥＩＴ（Event Information Table）８４やＳＤＴ（Service Description Table）９２などを含む番組配列情報９３とで主に構成される。
【００１４】
ＴＳ８０中に挿入される番組配列情報９３に含まれるＥＩＴ８４は、デジタル放送に関する種々の情報をテーブルの形にしたものであって、ＡＲＩＢ標準規格によって定められている。また、このＥＩＴ８４は、電子番組ガイド（Electronic Program Guide：以下「ＥＰＧ」と称する）を作成する際に用いられる情報となる。詳細には、ＥＩＴ８４は、放送チャンネルを識別可能な第１の識別情報としてのサービスＩＤ（Service ID）８６や、更新毎にインクリメントされるバージョンナンバ（Version Number）８５などを含むＥＩＴ自体に関する情報と、ディスクリプタループ（Descriptor Loop）８７と呼ばれる放送番組のディスクリプタ（Descriptor）情報８８とをテーブルのかたちで持つ構造を有する。ディスクリプタ情報８８は、放送時間に関する情報で構成されており、放送番組を識別可能な第２の識別情報としてのイベントＩＤ（Event ID）８９、放送番組の放送開始時間に対応するスタートタイム（Start Time）９０、放送番組の放送時間長に対応するデュレーション（Duration）９１などが含んで構成されている。
【００１５】
また、上記した番組録画装置３は、図２に示すように、例えばＨＤＤ（Hard Disk Drive）・ＤＶＤ（Digital Versatile Disk）レコーダなどであって、システム全体の制御を行うシステム制御部２１を有している。システム制御部２１は、ＣＰＵ２２と、ファームウェアや各種データが固定的に格納されたＲＯＭ２３と、ＣＰＵ２２の作業エリアなどとして用いられるＲＡＭ２４とを備える。このシステム制御部２１には、バス２５を通じて、ＥＰＧ管理部２６、録画予約管理部１４、チューナ部（デジタルチューナ）２８、逆多重化部３９、情報記録再生部２９、復号部４０、ＥＰＧ画面構成部３０、リモコンインタフェース部２７、ネットワーク接続部３１などが接続されている。なお、後に詳述するＥＰＧ管理部２６及び録画予約管理部１４は、ＲＡＭ２４上で実行されるプログラム（ソフトウェア）により実現されていてもよいし、電子部品によるハードウェアにより構成されてもよい。
【００１６】
リモコンインタフェース部２７は、ユーザからの指示を入力するためのリモートコントローラ３７とのインタフェース部である。ＴＳ８０を取得するコンテンツ取得部として機能するチューナ部２８は、アンテナ１１から取り込まれるデジタル放送の放送波から所望の放送波を選局する。なお、デジタル放送の放送波は、アンテナから取り込まれるものに限らず、ケーブルテレビ局などからケーブルを介して取り込まれるものであってもよい。
【００１７】
逆多重化部３９は、放送波に多重化された音声信号、映像信号、ＥＩＴ８４などをそれぞれ分離して復号部４０へ出力する。復号部４０は、逆多重化部３９にて分離した音声信号、映像信号、ＥＩＴ８４をそれぞれ復号して、復号されたＥＩＴ８４、デジタル音声信号、デジタル映像信号を出力制御部４１、情報記録再生部２９及びバス２５に出力する。ＥＰＧ画面構成部３０は、後述するＥＰＧ管理部２６のＥＰＧ作成部３３で作成されたＥＰＧの番組表画面情報を構成したり、各種設定用の画面を構成する。
【００１８】
出力制御部２１は、復号されたデジタル音声信号及びデジタル映像信号を出力用の音声信号及び映像信号に変換する。音声出力部２２及び画像出力部２３は、出力制御部２１からの出力用の音声信号、映像信号（ＳＤＴ９２、ＥＩＴ８４などを基に作成されたＥＰＧを含む）をテレビジョン装置６に出力する。
【００１９】
情報記録再生部２９は、例えばハードディスクドライブ、ＤＶＤなどの書き替え可能な記憶媒体を有し、復号部４０により復号されたデジタル音声信号及びデジタル映像信号を上記の記憶媒体に記憶させたり、記憶媒体に記憶されたデジタル音声信号及びデジタル映像信号を再生して復号部４０に出力する。ネットワーク接続部３１は、ルータ９との接続を行うインタフェースである。
【００２０】
ＥＰＧ管理部２６は、ＥＩＴ記憶部３２、ＥＰＧ作成部３３、ＥＩＴバージョン検出部３４、改定内容更新部３５を有する。ＥＩＴ記憶部３２は、逆多重化部３９によりＴＳ８０から抽出され、さらに復号部４０により復号されたＥＩＴ８４、ＳＤＴ９２を記憶保持する。ＥＰＧ作成部３３は、ＥＩＴ記憶部３２に記憶されたＳＤＴ９２、ＥＩＴ８４などを解釈してユーザに提供するＥＰＧを作成する。改定検出部として機能するＥＩＴバージョン検出部３４は、図２及び図４に示すように、ＥＩＴ８４の改定の検出、つまり、ＥＩＴ８４のバージョンナンバ８５が繰り上がったか否かを検出する。
【００２１】
このＥＩＴ８４のバージョンナンバ８５は、例えば、野球放送（野球中継）などの延長で、後続の番組放送の放送時間が繰り下がった場合などに、例えば５ｂｉｔの整数（ビット列）で定められたそのバージョン（Ｖｅｒ，Ｎｏ）が「１（００００１）」から「２（０００１０）」などに改定される（繰り上がる）。改定内容更新部３５は、ＥＩＴバージョン検出部３４が、ＥＩＴ８４のバージョンナンバ８５の繰り上がりを検出（改定を検出）した場合に、その最新のバージョンナンバ８５に対応するＥＩＴ８４の内容（改定されたＥＩＴ８４の内容）で、ＥＩＴ記憶部３２に記憶されているＥＩＴ８４の内容を更新する。
【００２２】
録画予約管理部１４は、録画要求取得部１５と録画予約設定部１６とを備える。録画要求取得部１５は、図１〜図４に示すように、外部端末５より送信されたサービスＩＤ及びイベントＩＤを含む録画要求をインターネット７を介して取得する。ここで、この録画要求は、サービスＩＤ及びイベントＩＤが本文に記述されたＥメールを、外部端末５側から番組録画装置３側が受け取ることで達成される。録画予約設定部１６は、録画要求取得部１５により取得された録画要求に含まれるサービスＩＤ及びイベントＩＤとＥＩＴ記憶部３２に記憶されているＥＩＴ８４とに基づいて、録画予約の設定を行う。すなわち、録画予約設定部１６は、サービスＩＤ及びイベントＩＤにそれぞれ対応した放送チャンネルの該当する放送番組の録画予約を設定する。
【００２３】
また、録画予約設定部１６は、時間変更検出部１７と録画予約時間修正部１８とを備える。時間変更検出部１７は、ＥＰＧ管理部２６のＥＩＴ記憶部３２に記憶されているＥＩＴ８４の内容が、改定内容更新部３５により更新されたか否かを検出し、その更新を検出した場合に、録画要求に含まれるサービスＩＤ及びイベントＩＤに各々対応した放送チャンネルの該当する放送番組の放送時間の変更の有無をさらに検出する。詳細には、図２及び図４に示すように、時間変更検出部１７は、録画要求に含まれるサービスＩＤ及びイベントＩＤに各々対応したディスクリプタ情報８８のスタートタイム９０やデュレーション９１の変更の有無を検出する。録画予約時間修正部１８は、時間変更検出部１７により放送時間の変更が検出された場合に、放送時間の変更が検出された（該当する放送チャンネルの）該当する放送番組の録画予約時間を修正する。
【００２４】
次に、外部端末５の構成を図３に基づき説明する。ここで、外部端末５の構成を示す図３において、番組録画装置３が備えていたものとほぼ同一の機能を有する構成部分については、同一の符号を付与しその説明を省略する。
すなわち、外部端末５は、ノートブック型のパーソナルコンピュータなどであって、図２に示した番組録画装置３の備えていたリモートコントローラ３７及びリモコンインタフェース部２７並びに録画予約管理部１４に代えて、図３に示すように、入力操作部５１及び録画要求生成部５３を有するとともに、液晶ディスプレイなどで構成される表示部５２をさらに備える。
【００２５】
上記の入力操作部５１は、例えばキーボードやマウス、入力パッドなどの入力デバイスである。なお、当該外部端末５は、ユーザが情報をするための入力装置としてリモートコントローラを備えるものであってもよい。表示部５２は、ＳＤＴ９２、ＥＩＴ８４などに基づき主にＥＰＧ作成部３３及びＥＰＧ画面構成部３０により作成されたＥＰＧの番組表画面や各種設定用の画面を表示する。録画要求生成部５３は、表示部５２に表示されたＥＰＧの表示画面をユーザが確認しつつ、ユーザが所望する録画予約対象の（放送チャンネル及び）放送番組を入力操作部５１を通じて選択（指定）した場合、この選択した（放送チャンネル及び）放送番組に対応するサービスＩＤ及びイベントＩＤを含む録画要求が生成されるとともに、この録画要求がインターネット７を介して番組録画装置３側に送信される。詳細には、この録画要求は、当該サービスＩＤ及びイベントＩＤを本文に記述した（埋め込んだ）Ｅメールを録画要求生成部５３が作成し、作成したこのＥメールが外部端末５の録画要求生成部５３側から番組録画装置３の録画要求取得部１５側に送信されることで実現される。
【００２６】
次に、このような番組録画装置３と外部端末５とを備える録画予約システム１により、実際に番組録画装置３に対し録画予約が設定される場合の動作を図５〜図７に示すフローチャートに基づき説明する。ここで、図５は、録画予約が設定される場合の外部端末５側の処理を示すフローチャートであり、また、図６は、録画予約が設定される場合の番組録画装置３側の処理を示すフローチャートである。さらに、図７は、録画予約の設定動作において、特に録画予約時間の設定が変更される場合の番組録画装置３側の処理を示すフローチャートである。
【００２７】
まず、外部端末５側の処理について説明する。
すなわち、図１、図３、図４及び図５に示すように、外部端末５のチューナ部２８により、ＴＳ８０が受信されると（Ｓ１）、ＴＳ８０からＳＤＴ９２、ＥＩＴ８４などが抽出され（Ｓ２）、抽出されたこのＳＤＴ９２、ＥＩＴ８４などが、ＥＩＴ記憶部３２に記憶される。次に、このＥＩＴ記憶部３２に記憶されたＳＤＴ９２、ＥＩＴ８４などを基に、ＥＰＧ作成部３３がＥＰＧを作成しその内容が表示部５２に表示される（Ｓ３）。表示部５２に表示されたＥＰＧの表示画面をユーザが確認しつつ、ユーザが所望する録画予約対象の（放送チャンネル及び）放送番組を入力操作部５１を通じて指定すると、指定された（放送チャンネル及び）放送番組が、録画要求生成部５３により認識される（Ｓ４）。
【００２８】
次いで、録画要求生成部５３は、認識した放送チャンネル及び放送番組に対応するサービスＩＤ及びイベントＩＤをＥＩＴ記憶部３２に記憶されたＥＩＴ８４から取得し、この取得したこれらのＩＤを含む録画要求が生成されるとともに、この録画要求がインターネット７上のメールサーバ８を介して番組録画装置３側にＥメールで送信される（Ｓ５）。
【００２９】
次に、番組録画装置３側の処理について説明する。
図１、図２、図４及び図６に示すように、番組録画装置３のチューナ部２８により、ＴＳ８０が受信されると（Ｓ１１）、ＴＳ８０からＥＩＴ８４が抽出され（Ｓ１２）、さらに、ＥＩＴバージョン検出部３４により、ＥＩＴ８４のバージョンナンバ８５が繰り上がっているか否かが検出される（Ｓ１３）。ＥＩＴバージョン検出部３４が、ＥＩＴ８４のバージョンナンバ８５の繰り上がりを検出した場合には（Ｓ１３のＹＥＳ）、改定内容更新部３５により、その最新のバージョンナンバ８５に対応するＥＩＴ８４の内容で、番組録画装置３のＥＩＴ記憶部３２に記憶されているＥＩＴ８４の内容が更新される（Ｓ１４）。
【００３０】
この状態で、インターネット７を介して外部端末５より送信されたサービスＩＤ及びイベントＩＤを含む録画要求（Ｅメール）の着信を、録画要求取得部１５が取得した場合には（Ｓ１５のＹＥＳ）、録画予約設定部１６は、まず、録画要求に含まれるサービスＩＤと一致するディスクリプタループ８７をＥＩＴ記憶部３２に記憶されているＥＩＴ８４の中から取得する（Ｓ１６）。次に、録画予約設定部１６は、取得したディスクリプタループ８７の中から、録画要求に含まれるイベントＩＤと一致するディスクリプタ情報８８を抽出する（Ｓ１７）。この後、上記のイベントＩＤの妥当性が検証され（Ｓ１８）、妥当性が得られた場合には（Ｓ１８のＹＥＳ）、録画予約設定部１６は、上記のサービスＩＤ及びイベントＩＤにそれぞれ対応した放送チャンネルの該当する放送番組の録画予約を設定する（Ｓ１９）。したがって、このような録画予約システム１によれば、外出先からの放送番組の録画予約の設定を容易に実現するこができる
【００３１】
次に、録画予約時間の設定を変更する場合の番組録画装置３側の処理について説明する。
図１、図２、図４及び図７に示すように、インターネット７を介して外部端末５より送信されたサービスＩＤ及びイベントＩＤを含む録画要求（Ｅメール）の着信を、録画要求取得部１５が取得した場合において（Ｓ２１のＹＥＳ）、録画予約管理部１４の録画予約設定部１６が管理する初期の予約設定時を基準として、ＥＩＴ記憶部３２に記憶されているＥＩＴ８４のバージョンナンバに更新が有ったか否かが検出される（Ｓ２２）。
【００３２】
例えば、野球放送（野球中継）などの延長による後続の番組の放送時間の繰り下がりなどが原因で、ＥＩＴ８４のバージョンナンバが更新されていること、すなわち、改定内容更新部３５によるＥＩＴ記憶部３２内のＥＩＴ８４の更新が検出された場合には（Ｓ２２のＹＥＳ）、時間変更検出部１７は、録画要求に含まれるサービスＩＤと一致するディスクリプタループ８７をＥＩＴ記憶部３２に記憶されているＥＩＴ８４の中から取得する（Ｓ２３）。次に、時間変更検出部１７は、取得したディスクリプタループ８７の中から、録画要求に含まれるイベントＩＤと一致するディスクリプタ情報８８を抽出して（Ｓ２４）、ディスクリプタ情報８８のスタートタイム９０やデュレーション９１の変更の有無を検出する（Ｓ２５）。時間変更検出部１７により、放送時間の変更が検出された場合には（Ｓ２５のＹＥＳ）、録画予約時間修正部１８は、放送時間の変更が検出された（該当する放送チャンネルの）該当する放送番組の録画予約時間を修正する（Ｓ２６）。
【００３３】
したがって、本実施形態に係る録画予約システム１の番組録画装置３によれば、外出先からの放送番組の簡易的な録画予約設定により、放送時間が変更になった番組の録画の取り逃しを防止することができる。
【００３４】
以上、本発明を実施の形態により具体的に説明したが、本発明は、上記の実施形態にのみ限定されるものではなく、その要旨を逸脱しない範囲で種々変更可能である。例えば、上述した実施形態では、外部端末５としてノートＰＣを例示していたが、これに代えて例えばデジタルチューナをそれぞれ搭載した携帯電話、ＨＤＤ搭載テレビ、ＨＤＤ・ＤＶＤレコーダなどを適用することも可能である。また、上記実施形態では、番組録画装置３としてＨＤＤ・ＤＶＤレコーダを例示していたが、これに代えてデジタルチューナを搭載した上記のＨＤＤ搭載テレビなどを適用してもよい。
【００３５】
また、外部端末５と番組録画装置３とは、インターネットを介して接続されていたが、これに代えて、インターネットを経由せずに、イーサネット（登録商標）などの有線ＬＡＮ、無線ＬＡＮを利用して外部端末５と番組録画装置３とがネットワーク接続されていてもよいし、また、赤外線通信、Ｂｌｕｅｔｏｏｔｈなどを用いた接続を採用することも可能である。また、上記のインターネットを介した外部端末５と番組録画装置３との接続経路に上記の有線ＬＡＮ、無線ＬＡＮ、Ｂｌｕｅｔｏｏｔｈなどをさらに介在させてもよい。また、外部端末５から番組録画装置３への録画要求には、Ｅメール以外の通信プロトコルを使用することもできる。また、番組録画予約の録画要求としてサービスＩＤ及びイベントＩＤを送受信することに代えて、ディスクリプタ情報８８を直接送受信するようにしてもよい。
【図面の簡単な説明】
【００３６】
【図１】本発明の実施形態に係る番組録画装置を含む録画予約システムの構成を模式的に示す図。
【図２】図１の録画予約システムを構成する番組録画装置を機能的に示すブロック図。
【図３】図１の録画予約システムを構成する外部端末を機能的に示すブロック図。
【図４】図１の録画予約システムにおいて、放送局の放送波であるトランスポートストリームの構成を模式的に示す図。
【図５】図１の録画予約システムにおいて、録画予約が設定される場合の外部端末側の処理を示すフローチャート。
【図６】図１の録画予約システムにおいて、録画予約が設定される場合の番組録画装置側の処理を示すフローチャート。
【図７】図１の録画予約システムにおいて、特に録画予約時間の設定が変更される場合の番組録画装置側の処理を示すフローチャート。
【符号の説明】
【００３７】
１…録画予約システム、２…放送局、３…番組録画装置、５…外部端末、６…テレビジョン装置、７…インターネット、８…メールサーバ、１４…録画予約管理部、１５…録画要求取得部、１６…録画予約設定部、１７…時間変更検出部、１８…録画予約時間修正部、２６…ＥＰＧ管理部、２８…チューナ部、３２…ＥＩＴ記憶部、３３…ＥＰＧ作成部、３４…ＥＩＴバージョン検出部、３５…改定内容更新部、３９…逆多重化部、５１…入力操作部、５２…表示部、５３…録画要求生成部、８０…トランスポートストリーム（ＭＰＥＧ−２ ＴＳ）、８４…ＥＩＴ（Event Information Table）、８５…バージョンナンバ、８６…サービスＩＤ（Service ID）、８７…ディスクリプタループ、８８…ディスクリプタ情報、８９…イベントＩＤ（Event ID）、９０…スタートタイム、９１…デュレーション、９２…ＳＤＴ（Service Description Table）、９３…番組配列情報。
【図１】
2007235338.tif 000003
【図２】
2007235338.tif 000004
【図３】
2007235338.tif 000005
【図４】
2007235338.tif 000006
【図５】
2007235338.tif 000007
【図６】
2007235338.tif 000008
【図７】
2007235338.tif 000009